Podtech/llm-jp-corpus-v4-ja_patent huggingface dataset:
(57)【要約】【課題】  筆ペンは穂先が軟らかく、力の入れ加減が難しいので、穂先を固定して力の入れ加減を容易にする。又、一定の幅の文字を書けるようにする。【解決手段】  筆の穂先を固定することにより力の入れ加減が容易にし、筆穂先装置器具を上下にさせることにより穂先幅を調整する。【選択図】図４
2010131955.tif 000002
【特許請求の範囲】
【請求項１】
筆ペンの穂先に、固定器具を取り付け、従来の穂先がやわらかく力の入れ加減が難しい筆ペンの、穂先を固定することにより、力の入れ加減が容易になり、一定の幅の筆文字が書けるようになる筆穂先装着器具。
【請求項２】
文字の幅も固定器具を上下させることと、固定器具止めにより、容易に変えることが出来る請求項１記載の筆穂先装着器具。
【請求項３】
固定器具止め内部に伸縮材を着けることにより、どの太さの筆ペンにも対応できる請求項１記載の筆穂先装着器具。
【発明の詳細な説明】
【技術分野】
【０００１】  本考案は、先の割れた筒状の固定器具を、筆ペン穂先に装着し固定器具止めをつけることにより、均一の幅の文字が書ける、筆ペン穂先の装着器具である。
【背景技術】
【０００２】  従来の筆ペンは、力の入れ加減を考慮したものは無い。
【発明の開示】
【発明が解決しようとする課題】
【０００３】  本考案は、現在はパソコンソフトにより、筆文字は作成できるが、祝儀袋等パソコンでは対応できないものがある。どうしても筆ペンに頼らなければならない時があるが、筆ペンは、力の入れ加減が難しく、なかなか綺麗な筆文字がかけない、そのような問題を解決しょうとするものである。
【課題を解決するための手段】
【０００４】  筆ペンの穂先に、先の割れた固定器具を装着し固定器具止めをつけることにより、力の入れ加減を容易にし、一定幅の筆文字が容易に書け、文字幅も固定器具を上下させ、固定器具止めをつけることにより簡単に変えることが出来る。
【発明の効果】
【０００５】  筆文字を書く際、力の入れ加減が容易になり、一定の幅の文字が書け、見た目にも綺麗な筆文字が書け、細書き、極細書きにも対応できる。
【発明を実施するための最良の形態】
【０００６】  筆ペンは、穂先が、動物又はナイロンの毛が適しており、先の割れた固定器具に挿入し、書きたい文字の幅だけ穂先を出して、固定器具止めで固定する。
【図面の簡単な説明】
【０００７】
【図１】固定器具の正面図を示した図面である。
【図２】固定器具止めの正面図を示した図面である。
【図３】固定器具の側面図を示した図面である。
【図４】使用図である。
【図１】
2010131955.tif 000003
【図２】
2010131955.tif 000004
【図３】
2010131955.tif 000005
【図４】
2010131955.tif 000006
【手続補正書】
【提出日】平成20年12月4日(2008.12.4)
【手続補正１】
【補正対象書類名】特許請求の範囲
【補正対象項目名】請求項１
【補正方法】変更
【補正の内容】
【請求項１】
筆ペンの穂先に、固定器具と固定器具止めを取り付け、従来の穂先がやわらかく力の入れ加減が難しい筆ペンの、穂先を固定することにより、力の入れ加減が容易になり、一定の幅の筆文字が書けるようになる筆穂先装着器具。
【手続補正２】
【補正対象書類名】特許請求の範囲
【補正対象項目名】請求項２
【補正方法】変更
【補正の内容】
【請求項２】
文字の幅も固定器具を上下させることと、内部に滑り止め材を付けた固定器具止めにより、容易に変えることが出来る請求項１記載の筆穂先装着器具。
【手続補正３】
【補正対象書類名】特許請求の範囲
【補正対象項目名】請求項３
【補正方法】変更
【補正の内容】
【請求項３】
固定器具の内部に伸縮材を着けることにより、どの太さの筆ペンにも対応できる請求項１記載の筆穂先装着器具。
【手続補正４】
【補正対象書類名】明細書
【補正対象項目名】０００１
【補正方法】変更
【補正の内容】
【０００１】  本考案は、先の割れた筒状の固定器具を、筆ペン穂先に装着し固定器具止めをつけることにより、穂先への力の入れ加減を容易にし、又、均一の幅の文字が書ける、筆ペン穂先の装着器具である。
【手続補正５】
【補正対象書類名】明細書
【補正対象項目名】０００２
【補正方法】変更
【補正の内容】
【０００２】  従来の筆ペンは、穂先への力の入れ加減を考慮したものは無い、又、文字の幅を調整できるものも無い。
【手続補正６】
【補正対象書類名】明細書
【補正対象項目名】０００３
【補正方法】変更
【補正の内容】
【０００３】  本考案は、現在はパソコンソフトにより、筆文字は作成できるが、祝儀袋等パソコンでは対応できないものがある。どうしても筆ペンに頼らなければならない時があるが、筆ペンは、穂先への力の入れ加減が難しく、なかなか綺麗な筆文字がかけない、又、文字幅によって筆ペンを買い換えなくてはならない、そのような問題を解決しょうとするものである。
【手続補正書】
【提出日】平成21年5月21日(2009.5.21)
【手続補正１】
【補正対象書類名】特許請求の範囲
【補正対象項目名】請求項１
【補正方法】変更
【補正の内容】
【請求項１】
筆ペンの穂先の書きたい文字幅の位置に、先が三角形に割れた筒状の固定器具を取り付け、穂先と固定器具の先が密着するよう、滑り止め剤の付いたリング状の固定器具止めで固定することにより、従来の穂先がやわらかく力の入れ加減が難しい筆ペンが、力の入れ加減が容易になり一定の幅の文字が書けるようになる筆穂先装着器具。
【手続補正２】
【補正対象書類名】特許請求の範囲
【補正対象項目名】請求項３
【補正方法】変更
【補正の内容】
【請求項３】
固定器具は、先が三角形に割れた部分と伸縮材部分により構成されており、伸縮材部分が広がることにより、どの太さの筆ペンにも対応できる請求項１記載の筆穂先装着器具。
【手続補正３】
【補正対象書類名】明細書
【補正対象項目名】０００３
【補正方法】変更
【補正の内容】
【０００３】
本考案は、現在はパソコンソフトにより、筆文字は作成できるが、祝儀袋等パソコンでは対応できないものがある。どうしても筆ペンに頼らなければならない時があるが、筆ペンは、穂先への力の入れ加減が難しく、なかなか綺麗な筆文字がかけない、そのような問題を解決しょうとするものである。
【手続補正書】
【提出日】平成21年7月16日(2009.7.16)
【手続補正１】
【補正対象書類名】特許請求の範囲
【補正対象項目名】請求項１
【補正方法】変更
【補正の内容】
【請求項１】
筆ペンの穂先の書きたい文字幅の位置に、先が三角形に割れた筒状の固定器具を取り付け、穂先と固定器具の先が密着するよう、滑り止め材の付いたリング状の固定器具止めで固定することにより、従来の穂先がやわらかく力の入れ加減が難しい筆ペンが、力の入れ加減が容易になり一定の幅の文字が書けるようになる筆穂先装着器具。
(57)【要約】【課題】ダンボールの印刷に於て、印版がダンボール表面の凸凹に馴染み難く、印刷の「カスレ」や「ツブレ」等の発生により、シャープできれいな印刷再現が困難な不都合、及び、印版にかかる資源の無駄な消費を解決すること。【解決手段】版面支持体部（土台部）に極小径の気泡や円錐形等の空洞を多数個混入した層を設け、版面画像部層と一体化した感光性樹脂印版構造体とすることでこの課題を解決するものである。【選択図】図２
2010131958.tif 000002
【特許請求の範囲】
【請求項１】
版面支持体に極小径の気泡を多数個混入した層で構成したことを特徴とする感光性樹脂印版体。
【請求項２】
版面支持体底部に極小径の円錐や半球体等の空洞を多数個設けた層で構成したことを特徴とする感光性樹脂印版体。
【発明の詳細な説明】
【技術分野】
【０００１】本発明は、ダンボール等印刷用の感光性樹脂印版に関するものであり、版面の支持体層（土台部）に極小径の気泡や円錐形等の空洞を多数個施した層（以下気泡等混入層という）とする工夫を加える事によって、省資源、軽量、印刷の高精度化をもたらすものである。
【背景技術】
【０００２】従来から、ダンボール印刷用の印版は、ダンボール表面の凸凹に馴染み、かつ、ダンボール強度を損なわない方法で印刷しなければならない。
対策として版面支持体部のみ硬度をやわらかくしたり、又、印版を薄くしてその下側にやわらかいクッション層を施したりして、印刷の衝撃を吸収しながら印刷精度を保とうとしている。（図１参照）
【発明の開示】
【発明が解決しようとする課題】
【０００３】しかし、支持体部をやわらかくした場合、印材の使用量や、重量は殆んど変わらない為、近年の印刷機の高速化で印版にかかる遠心力は、軽減されず、版面が浮き上がってしまいインクロール（アニロックスロール）やダンボール表面との過剰接触によるマージナル（印刷のにじみ）の発生の要因となっている。
更に、資源の有効利用や重い印版の為作業労力の点でも課題が残存する。印版を薄くして下側にクッション層を版胴に巻く印刷方法の場合、クッション層の取り付けや取り外し作業の手間がかかる。又、印版とクッション層の間にベースフィルムとキャリアシートが重なった硬い層が出来てしまい版面がダンボール表面の凹部に馴染み難く、版面とダンボール表面との間に隙間が発生し印刷のカスレとなる課題が残存する。（図１▲２▼参照）
【課題を解決する為の手段】
【０００４】この課題を解決する為の請求項１の発明は、版面支持体部に極小径の気泡を多数個混入した層とすることで、印刷時版面の衝撃を気泡で吸収でき、かつ、省資源、軽量化される事により各種課題を解決するものである。（図２▲１▼参照）
【０００５】また、請求項２の発明は、版面支持体底部に極小径の円錐や半球体等の空洞を多数個、施す事で、印刷時版面の衝撃を空洞で吸収でき併せて、印版底部のベースフィルムに極小径の穴が多数個開く事により、段ボール表面の凹部にも版面が馴染み易くなり前項同様各種課題を解決するものである。（図２▲２▼▲３▼参照）
【発明の効果】
【０００６】本発明により、
１．省資源かつ軽量化できコストや労力の軽減となる。
２．近年の高速印刷にも対応でき、きれいでシャープな印刷が可能となる。
【発明を実施する為の最良の形態】
【０００７】版面画像部層は従来と同じ平滑性の有る気泡等の混入の無い素材を用い、版面支持体層に支持体として用を成す強度を保持した気泡等混入層とする。素材は、感光性樹脂で版面画像部層と同質のもの或は、版面画像部層の素材と馴染み融合するものが望ましい。
【産業上の利用可能性】
【０００８】本発明に係わる印版体の版面支持体への気泡の混入方法は、素材の攪拌やシャワー状での落下塗布等による方法、又、円錐等空洞を多数個施す方法は、成形型の利用等により各々簡易な方法で、工業的に量産する事が可能であり、印刷精度の向上、資源の節約、コストの削減及び作業労力の軽減となり産業上の利用可能性は極めて大きい。
【図面の簡単な説明】
【０００９】
【図１】▲１▼一般的に７ｍｍ版（厚版）といわれている印版体の構成である。  ▲２▼一般的に３ｍｍ版（薄版）といわれている薄い版の下にクッション層を引いた整版構成である。
【図２】▲１▼本発明の気泡を支持体層に混入した印版体である。（厚版仕様）  ▲２▼本発明の円錐等空洞を支持体底部に施した印版体である。（厚版仕様）  ▲３▼本発明の半球体等空洞を支持体底部に施した印版体である。（薄版仕様）
【符号の説明】
【００１０】Ａ  版面画像部層
Ｂ  版面支持体部層
Ｃ  印版ベースフィルム
Ｄ  両面テープ
Ｅ  整版キャリアシート
Ｆ  クッション版
Ｇ  気泡等空洞部分
Ｈ  版胴
Ｉ  回転方向
【図１】
2010131958.tif 000003
【図２】
2010131958.tif 000004
(57)【要約】【課題】  シャープペンシルを使用する際の消字作業をよりスムーズにする、消しゴム付シャープペンシルを提供する。【解決手段】  シャープペンシルの先端部に取替え式の消しゴムを設ける、以上を特徴とする消しゴム付シャープペンシル。【選択図】図１
2010131956.tif 000002
【特許請求の範囲】
【請求項１】
シャープペンシルの先端部に取替え式の消しゴムを設ける、以上を特徴とする消しゴム付シャープペンシル。
【発明の詳細な説明】
【技術分野】
【０００１】  本発明はシャープペンシルの先端に消しゴムを付けた消しゴム付シャープペンシルに関するものである
【背景技術】
【０００２】  現在、多く利用されているシャープペンシルは消しゴムがキャップ内部に納まっている。
【発明の開示】
【発明が解決しようとする課題】
【０００３】      そのために、次のような問題点があった。
（イ）字を消す度にキャップをとり、シャープペンを逆さに持ち直す必要があった。
（ロ）再び字を書き始める際にはキャップをしめ、シャープペンを持ち直す必要があ          った。
本発明は以上の問題点を解決しようとするものである。
【課題を解決するための手段】
【０００４】      シャープペンシルの先端部に取替え式の消しゴムを設ける、以上を特徴とする消し    ゴム付シャープペンシル。
【発明の効果】
【０００５】    本発明は、シャープペンシルの使用時に記入ミスをした場合にシャープペンシルを握    ったまま記入内容を消すことが容易に出来る。
【発明を実施するための最良の形態】
【０００６】  以下、本発明の実施の形態を説明する。
（イ）シャープペンシルの先端部（１）に消しゴム入れ（２）を設ける。
（ロ）消しゴム入れ（２）には消しゴム（３）が納まる。
本発明は以上の構成よりなっている。
本発明を使用するときは、シャープペンシルで紙などに何か記入した後に、訂正したい  部分をシャープペンシルの先端部（１）の消しゴム（３）でシャープペンシルを握った  まま消す。
【図面の簡単な説明】
【０００７】
【図１】本発明の正面図
【符号の説明】
【０００８】      １  先端部
２  消しゴム入れ
３  消しゴム
４  キャップ
５  クリップ
６  軸
７  グリップ
８  パイプ
９  芯
【図１】
2010131956.tif 000003
(57)【要約】      （修正有）【課題】足裏電気マッサージ器において、より簡単な構造で安価な物を作る必要があった。【解決手段】モーター軸に振子２を付けることによってモーター１運転時の振動を大きく増幅し、その振動をモーター１の外箱６に伝え、モーター外箱に取り付け板複数個の突起３によって、足裏の所定の点部に伝えることが出来るマッサージ器を製作した。これにより、足の裏の按摩は、今まで経験したことのない、心地よさを与え、いつでも、何時間でも、気持ちよく使用することが出来る。【選択図】図２
2010131147.tif 000002
【特許請求の範囲】
【請求項１】
モーター軸に振子を付けて、モーターを動かしたときに起こる振動を増幅し、モーター外  箱に付けた突起を通して身体にその振動を伝える器具において、突起の形状を、突起の先端  から器具の外箱までの長さを２ｃｍ2〜２０ｃｍ2とし、突起の先端から２ｃｍの所での突起の横断面の面積を０．０４ｃｍ2〜２０ｃｍ2とするモーターの振動を突起によって身体に伝える器具。
【発明の詳細な説明】
【技術分野】
【０００１】
この発明は、健康を増進する器具に関する。
【背景技術】
【０００２】
特願２００８−１３０１３５として出願している。
【特許文献１】特願２００８−１３０１３５
【発明の開示】
【発明が解決しようとする課題】
【０００３】
従来の器具は、モーターの回転運動を、ギヤーを使って直線運動に変え  る構造になっており、構造が複雑である。
【０００４】
今回の発明品は、モーター軸に振子を取り付けてモーターの振動を増幅し、この振動を使用するもので、  構造の簡単な器具の開発であった。
【０００５】
本発明はより構造の簡単な器具の開発であった。
【課題を解決するための手段】
【０００６】
モーター軸に振子を付けて、モーターの振動を増幅し、その振動をモーターを固定する為に覆った外箱に伝達し、外箱に数ｃｍの長さの突起をつけて、その突起の先端を足の裏にあてるようにした。
【発明の効果】
【０００７】
簡単な操作で、足裏の点部に振動を伝える事が出来た。
【０００８】
年齢にかかわらず、男子の尿道の血行を活発にする。
【０００９】
いつでも、何時間でも、気持ちよく使用することが出来る。
【００１０】
足の裏の按摩は、今まで経験したことのない、心地よさを与える。
【００１１】
足の側面にもいい感じの按摩が行える。
【発明を実施するための最良の形態】
【００１２】
振子は、モーターの回転によって振子を取り付ける前に比べて大きな振動を起こすので、その振動を利用するため、１００V、２３W、 回転数毎分２０００回転のモーター軸に、モーター軸より５ｃｍ離れた先に、重量１５ｇの重りを付け、低温熔解
プラスチックで、モーターを外箱に固着し、直径１ｃｍ、長さ５ｃｍの棒とうを外箱に固
着し、棒とうの先端を足の裏に当てるようにした。低温熔解プラスチックは、約５０℃で柔らかくなり、柔らかくなると振動が伝わらないので、モーターの過熱が分かり過熱防止になる。
【図面の簡単な説明】
【００１３】
【図１】足裏振動器を上から見た図である。
【図２】足裏振動器を横から見た図である。
【符号の説明】
【００１４】
１  モーター
２  振子
３  突起
４  モーターを外覆に固定する。低温熔解プラスチック
５  足を乗せる突起
６  外箱
【図１】
2010131147.tif 000003
【図２】
2010131147.tif 000004
【手続補正書】
【提出日】平成21年6月16日(2009.6.16)
【手続補正１】
【補正対象書類名】特許請求の範囲
【補正対象項目名】請求項１
【補正方法】変更
【補正の内容】
【請求項１】
モーター軸に振子を付けて、モーターを動かしたときに起こる振動を増幅し、モーター外箱に付けた突起を通して身体にその振動を伝える器具において、突起の形状を、突起の先端から器具の外箱までの長さを２ｃｍ〜２０ｃｍとし、突起の先端から２ｃｍの所での突起の横断面の面積を０．０４ｃｍ２〜２０ｃｍ２とするモーターの振動を突起によって身体に伝える器具。
(57)【要約】【課題】本発明は、ワイシャツ及び襟のあるシャツをネクタイ未使用時の襟部が乱れ見苦しく、更に襟元よりの通風の悪さを防止するようにした開禁固定具を提供するものである。【解決手段】巾を極力狭くした合成樹脂シートの長手方向の中央部に、アルミ細線を横設しシート両先端に同短シートを回動自在に鋲着して設けたことを特徴とする開襟固定具。【選択図】図１
2010203025.tif 000002
【特許請求の範囲】
【請求項１】
狭巾の合成樹脂シートの長手方向の中央部にアルミ細線を横設し、表面を合成樹脂テープで被着させ、シートの両先端に同材の短シートを回動自在に鋲着し連結させて設け、使用状態で襟内に環装し襟元を拡開し通風をより高めるようにしたことを特徴とする開襟固定具。
【発明の詳細な説明】
【技術分野】
【０００１】  本発明は合成樹脂シートの長手方向にアルミ細線を横着させ、両先端に短い合成樹脂シートを鋲着させた開襟固定具に関するものである。
【背景技術】
【０００２】  従来、シャツの販売時には襟元を固定するだけの物はあったが、着用時には除去していた。又、金属等により環状のものはあった。
【先行技術文献】
【０００３】  特開    ２００３−１９２０７１
特開    ２００２−３６３８０１
【発明の概要】
【０００４】  シャツを開襟して着用時、襟元が乱れて見苦しく襟回りの通風少なく、夏期エコ、ノーネクタイの昨今、襟元をすっきり美しくさせ通風をより高く涼しくしたく発案しました。
【発明が解決しようとする課題】
【０００５】  そのために、次のような問題点があった。
（イ）シャツを開襟着用すると襟元、襟先の左右が乱れ見苦しかった。
（ロ）襟回り及び襟元が肌との接触面積が多く、従って通風も悪く不快だった。
【課題を解決するための手段】
【０００６】  細長く裁断した合成樹脂シートにアルミ細線を横着し合成樹脂テープで被覆し、両先端に同材シートを短く回動自在に鋲着させて設けた開襟固定具である。
【発明の効果】
【０００７】  合成樹脂シート巾を極力狭くし襟回りの通風を妨げないようにし、これを環状に曲げ襟の内側に挟入し、両先端を左右に広げ、鋲着した短いシートを下方向に回動しスタンドさせて使用することにより、左右の襟元が広く開き襟先をすっきりきさせ、襟首回りが広がり更に襟下部が持ち上がり肌との接触も少なく、より通風を高める。
【図面の簡単な説明】
【０００８】
【図１】  本発明の斜視図
【図２】  本発明の実施前の斜視図
【図３】  本発明の使用実施時の状態の斜視図
【図４】  本発明の使用実施図
【発明を実施するための形態】
【０００９】  以下、本発明の実施形態について説明する。
（イ）  合成樹脂シート本体（１）の中央部にアルミ細線（４）を横設し、合成樹脂テープ（５）で被着させる。
（ロ）  シート本体（１）の両先端に同材の短シート（２）を回動自在に鋲着させて設ける。
本発明は以上のような構成で、これを使用するときは着用したシャツの襟内側に狭入可能にシート本体（１）を環状に曲げて狭入し、両先端を襟元と共に左右に広げ鋲着した短シート（２）を下方向に回動し、スタンドさせて使用することにより襟先が展開し通風をより高める。
【符号の説明】
【００１０】  １        合成樹脂シート本体
２        合成樹脂短シート
３        鋲着具
４        アルミ細線
５        合成樹脂テープ
【図１】
2010203025.tif 000003
【図２】
2010203025.tif 000004
【図３】
2010203025.tif 000005
【図４】
2010203025.tif 000006
(57)【要約】【課題】これまでのブラジャーは胸のカップ部、ベルト部、ホック部が一体構造で生産され、使用者へ提供されていたため、下着メーカはアンダーバストサイズ、トップサイズより一般規格製品サイズの商品化を行い、使用者はその規格サイズの内、自分に一番近いサイズを選定していた。  従い、サイズ調整はベルト部にあるフック止め位置とストラップの長さ調整だけで行っていた。また、より適合したものを選定したい場合は、オーダメイドすることは可能であるが、高額なものとなっていた。従い、使用者は満足いくブラジャー選定は容易ではなかった。【解決手段】使用者の予算やフィットしたブラジャーを満足し購入／使用して頂くためにブラジャー構造をパーツ構造とする。【選択図】図１
2010203027.tif 000002
【特許請求の範囲】
【請求項１】
ブラジャー構造をパーツ部品を組合わせて使用する構造とする。
【請求項２】
左右の胸の幅を調節するために、連結用スペーサに調整機能を持たせる。
【請求項３】
連結スペーサの連結部には抜け防止機能を持たせる。
【請求項４】
ベースカップ部とベースベルト間は容易に脱着可能な連結具により結合出来る。
【請求項５】
ベースカップ部とベースベルト部の連結に使用する金具を固定するキャップは、連結ポイントの遊びを持たせるために、伸縮性のある素材でキャップ部をつないだものとする。
【請求項６】
ストラップ取付け位置を任意に変更できるように複数個持たせ、連結スペーサの間隔とストラップ取付け位置により、着用時の胸のホールド感を調整できるものとする。
【請求項７】
デザイン部を取外せる構造とし、自由に着せ替えが出来るものとする。
【請求項８】
デザインカップとベースカップ部の接続は、デザインカップの底部分をワイヤーなどの円構造とし、バネ作用を利用できるものとする。
装着時にデザインカップをたわませ、ベースカップ部にフックを引っ掛けれるものとする。  引っ掛けた後はバネ作用でフックに力が掛かり外れない構造とする。
【発明の詳細な説明】
【技術分野】
【０００１】本発明はブラジャー構造を各パーツを組み合わせる構造とすることで、使用者の体に合わせやすく、デザインも自由に着せ替えられるものとするものです。
【背景技術】
【０００２】特許文献を調査しましたが、探すことが出来ませんでした。
従い、記載する文献はありません。
【特許文献１】
【特許文献２】
【非特許文献１】
【非特許文献２】
【発明の開示】
【発明が解決しようとする課題】
【０００３】これまでのブラジャー（ストラップ部を除く）は一体構造であり、自分にフィットするサイズを選ぶとデザインが気に入らない、デザインを優先すると価格が高いなど選定の自由度が限定される事があった。
また、一部が破損すると使用出来なくなる場合が有り、修理も出来ず廃棄となっていた。
【課題を解決するための手段】
【０００４】この課題を解決する請求項１の発明は、ブラジャー構造をパーツ構造とし、使用者がパーツを組み合わせて使用する構造とすることで、パーツ交換による修理を可能とする。【０００５】この課題を解決する請求項２の発明は、ベースカップ部の連結スペーサを設け、さらに間隔調整機能を持たせることにより、胸のホールド状態を調節可能とする構造とする。【０００６】この課題を解決する請求項３の発明は、連結スペーサによる調整が安定するよう、抜け防止構造を持たせる。【０００７】この課題を解決する請求項４の発明は、ベースカップ部とベースベルト部は容易に脱着可能な連結具により組み合わせるものとする。【０００８】この課題を解決する請求項５の発明は、ベースカップ部とベースベルト部の接続に遊びを持たせることで、体の動きにフィットしやすく、ずれ防止を兼ねる。【０００９】この課題を解決する請求項６の発明は、ストラップ取付け位置とベースカップ間隔の調整が任意に出来ることにより、胸のホールド感及びストラップのずれ防止を行うことが出来る。【００１０】この課題を解決する請求項７の発明は、デザイン部を取外せる構造とすることで自由に着せ替えが出来ることはもとより、洗濯時の素材の痛み防止が効果的で気に入ったデザインを長く使用することが可能となる。
また、ベースカップ部がデザインに影響されないため、ホールド機能の強化、季節毎の素材の選定、ベース部とデザイン部にスペースを持たせることでクーラ効果も可能となる。【００１１】この課題を解決する請求項８の発明は、デザインカップ部の脱着が簡単で形が崩れないように、カップ部の底辺はワイヤー構造とし、バネ作用によりフック機能がより強く働くものとする。
【発明の効果】
【００１２】使用者が体に適合するブラジャーを自分で調整し、使用することが出来る。【００１３】使用者が少ない予算で破損を修理できる。またそれだけ長く使用できる。【００１４】使用者が好きなデザインを自由に選べ、また長く使用することが出来る。【００１５】新規市場の展開が見込める。
【発明を実施するための最良の形態】
【００１６】ブラジャーをパーツ構成にし、各パーツ単位のサイズや調整機能を多くすることで、使用者の体型により適合したブラジャーを提供することが出来る。
尚、パーツ連結部は洗濯時に容易に分解することが出来るようにし、洗濯などによる痛みを最小限に出来る構造とする。
【図面の簡単な説明】
【００１７】
【図１】本発明のブラジャー全体構造を記す。
【図２】ベースカップ部とベースベルト部の接続方法について記す。
【図３】ベースカップ左右間のスペーサ構造について記す。
【図４】デザインカップ部の取り付け方法について、その構造を記す。
【符号の説明】
【００１８】  １  ベースカップ左
２  ベースカップ右
３  ベースカップ接続用スペーサ
４  ベースベルト左
５  ベースベルト右
６  ベースカップ、ベースベルト連結具
７  ストラップ
８  デザインカップ左
９  デザインカップ右
１０  デザインスペーサ
１１  デザインベルト左
１２  デザインベルト右
１３  ベースカップ、ベースベルト連結具用キャップ
１４  ベースカップ、ベースベルト連結具用キャップ間伸縮素材
１５  ストラップ調整用複数ストッパ
１６  ベースカップ接続用スペーサの調整部（受け側）
１７  ベースカップ接続部
１８  デザインカップ底部のワイヤー部
１９  デザインカップ部のフック部
【図１】
2010203027.tif 000003
【図２】
2010203027.tif 000004
【図３】
2010203027.tif 000005
【図４】
2010203027.tif 000006
(57)【要約】【課題】体の各部位が冷え、火照りの症状が出てしまう更年期障害またはその他の人達の症状または、嗜好に対応できる衣類を提供する。【解決手段】衣類の外側または内側の各部位にポケットを設けあて布、保冷剤、保温材などの出し入れを可能とし使用者の嗜好に応じ必要な物を装着できる温度調節式衣類を特徴とする。【選択図】図１
2010203024.tif 000002
【特許請求の範囲】
【請求項１】
衣類の外側または内側の背上部、肩部、側腕部、肘部、腰部、大腿部、膝部、脛部などの冷えなどの症状が出易いに各部分にポケットを設け、温度調節をする為のあて布、保冷剤、保温材などの出し入れが出来る衣類。
【発明の詳細な説明】
【技術分野】
【０００１】この発明は、衣類の外側または内側の各部位にポケットを設けそこにあて布、保冷剤、保温材などの脱着ができる衣類に関するものである。
【背景技術】
【０００２】従来の衣類は体の各部位により温度差または、各部位を温めまたは冷やす事が出来なかった。
【発明の開示】
【発明が解決しようとする課題】
【０００３】これは、次のような欠点があった。
従来、体の各部位を温め、または冷やすという事はできず、特に更年期障害または冷え性などの人達は困ることが多かった。本発明は以上のような欠点をなくすためになされたものである。
【課題を解決するための手段】
【０００４】衣類本体の外側または内側各部位にポケットを設け、あて布、保冷剤、保温材などを入れる事を可能にする。
【発明の効果】
【０００５】各ポケットが衣類と一体になっているので使用者の体の冷え、火照り、痛みなどの各場所にあて布、保冷剤、保温材など嗜好に応じ脱着を可能にする。
【発明を実施するための最良の形態】
【０００６】以下、本発明を実施するための最良の形態について説明する。
衣類本体外側または内側の上から、背上部、肩部、側腕部、肘部、腰部、大腿部、膝部、脛部などの症状が出易い各部位にポケットを設け必要時に必要な物の脱着を可能にする。
本発明は以上のような構造である。
【図面の簡単な説明】
【０００７】
【図１】  本発明の表面図である。
【図１】
2010203024.tif 000003
(57)【要約】【課題】高周波加熱装置に用いられる照明ダイヤルを均一にライトアップする。【解決手段】被加熱物を収納する加熱室と、前記加熱室に収納された被加熱物を加熱する高周波加熱装置と、前記高周波加熱装置をコントロールするコントロールパネルにおいて、操作ダイヤルとその周囲に配置された照明リングと照明リングをライトアップする光源を備え、前記光源と前記照明リングの間に位置し前記照明リングへの直接光を遮蔽する第一の反射板と、前記第一の反射板と反射面の角度が異なった第二の反射板と、前記第二の反射板と反射面の角度が異なった第三の反射板を備えることにより安価に照明リングを均一にライトアップする。【選択図】図１
2010203716.tif 000002
【特許請求の範囲】
【請求項１】
被加熱物を収納する加熱室と、前記加熱室に収納された被加熱物を加熱する高周波加熱装置と、前記高周波加熱装置をコントロールするコントロールパネルにおいて、操作ダイヤルとその周囲に配置された照明リングと照明リングをライトアップする光源を備え、前記光源と前記照明リングの間に位置し前記照明リングへの直接光を遮蔽する第一の反射板と、前記第一の反射板と反射面の角度が異なった第二の反射板と、前記第二の反射板と反射面の角度が異なった第三の反射板を備えた高周波加熱装置。
【発明の詳細な説明】
【技術分野】
【０００１】
本発明は、食品を加熱する高周波加熱装置において、操作ダイヤルの周囲に配置された照明リングを安価で均一にライトアップするコントロールパネルの照明に関するものである。
【背景技術】
【０００２】
従来、この種の高周波加熱装置は、コントロールパネル部の操作ダイヤルの周囲に配置された照明リングを照明リングの背後に配置した光源の直接光によりライトアップしていた（例えば、特許文献１参照）。
【０００３】
図２は、従来の高周波加熱装置のコントロールパネル部の断面図を示すものである。図２に示すように、操作ダイヤル１の周囲に照明リング２が配置され、その背後に配置された光源３の直接光により照明リング２がライトアップされる。
【特許文献１】特開２００４−１９８０７６号公報
【発明の開示】
【発明が解決しようとする課題】
【０００４】
しかしながら前記従来の構成では、直接光により照明リングがライトアップされるため、光源のある位置が明るく、光源が無い位置は暗く、照明が不均一になりやすいという課題を有していた。
【０００５】
本発明は、前記従来の課題を解決するもので、コントロールパネル部の操作ダイヤルの周囲に配置された照明リングを安価で均一にライトアップする高周波加熱装置を提供することを目的とする。
【課題を解決するための手段】
【０００６】
前記従来の課題を解決するために、本発明の高周波加熱装置は被加熱物を収納する加熱室と、前記加熱室に収納された被加熱物を加熱する高周波加熱装置と、前記高周波加熱装置をコントロールするコントロールパネルにおいて、操作ダイヤルとその周囲に配置された照明リングと照明リングをライトアップする光源を備え、前記光源と前記照明リングの間に位置し前記照明リングへの直接光を遮蔽する第一の反射板と前記第一の反射板と反射面の角度が異なった第二の反射板と前記第二の反射板と反射面の角度が異なった第三の反射板を備えるものである。
【０００７】
これによって、操作ダイヤルとその周囲に配置された照明リングを安価で均一にライトアップすることができる。
【発明の効果】
【０００８】
本発明によれば、コントロールパネルにおいて、操作ダイヤルとその周囲に配置された照明リングと照明リングをライトアップする光源を備え、前記光源から出た光は、第一の反射板により照明リングへの直接光を妨げられ反射拡散する。
【０００９】
第二の反射板の反射面の角度は、第一の反射板の反射面の角度と異なるためさらに反射拡散する。さらに第三の反射板の反射面の角度は、第二の反射板の反射面の角度と異なるためさらに反射拡散され最終的に均一な照明となり、照明リングをライトアップすることができる。
【発明を実施するための最良の形態】
【００１０】
本発明は被加熱物を収納する加熱室と、前記加熱室に収納された被加熱物を加熱する高周波加熱装置と、前記高周波加熱装置をコントロールするコントロールパネルにおいて、操作ダイヤルとその周囲に配置された照明リングと照明リングをライトアップする光源を備え、前記光源と前記照明リングの間に位置し前記照明リングへの直接光を遮蔽する第一の反射板と前記第一の反射板と角度の異なった反射面を備えた第二の反射板と前記第二の反射板と反射面の角度が異なった第三の反射板を備えることにより、操作ダイヤルの周囲に配置された照明リングを安価で均一にライトアップする高周波加熱装置を提供することができる。
【００１１】
以下、本発明の実施の形態について、図を参照しながら説明する。なお、この実施の形態によって本発明が限定されるものではない。
【００１２】
図１は、本発明の実施の形態における高周波加熱装置のコントロールパネルの断面を示すものである。図１において、操作ダイヤル１の周囲に照明リング２が配置され、その背後に配置された光源３の直接光により照明リング２がライトアップされる。
【００１３】
第一の反射板４は、光源３と照明リング２の間に位置し、照明リング２への直接光を遮蔽する。第二の反射板５は、反射板４と反射面が９０度異なるものであり、第三の反射板６は、反射板５と反射面が９０度異なるものである。
【００１４】
以上のように構成された高周波加熱装置について、以下その動作、作用を説明する。
【００１５】
第一の反射板４は、光源３と照明リング２の間に位置し、光源３から照射された直接光が照明リング２に照射されることを妨げる。
【００１６】
第二の反射板５の反射面の角度は、第一の反射板４の反射面と９０度異なり、第三の反射板６の反射面の角度は、第二の反射板５の反射面と９０度異なるため、光源３からの光は拡散され、均一な照明となり照明リング２をライトアップすることができる。
【産業上の利用可能性】
【００１７】
以上のように、本発明は電子レンジ等の高周波加熱装置のコントロールパネルに設けられ、高周波加熱装置を操作するための操作ダイヤルに適用することができる。
【図面の簡単な説明】
【００１８】
【図１】本発明の実施の形態にかかる高周波加熱装置におけるコントロールパネルの断面図
【図２】従来の高周波加熱装置におけるコントロールパネルの断面図
【符号の説明】
【００１９】
１  操作ダイヤル
２  照明リング
３  光源
４  第一の反射板
５  第二の反射板
６  第三の反射板
【図１】
2010203716.tif 000003
【図２】
2010203716.tif 000004
(57)【要約】【課題】こたつ土台に器具を取り付け布団がズレることを防ぐと共に、収納スペースにより収納ボックスを各角両面からとりだせる機能を持たせる。【解決手段】こたつ土台３に器具２を有効に利用できる位置に取り付け、貫通した穴を設けた布団４をかぶせ、布団４を固定することで、布団４のズレを防ぐと共に、収納スペースを設けることができ、天板１裏に付けられたガイド９によって、各角両面から収納ボックス１０を取り出せることを特徴とするこたつ。【選択図】図１
2010203688.tif 000002
【特許請求の範囲】
【請求項１】
こたつと天板の間に、ひとつ以上の穴を設けた布団を固定する為に器具を取り付け、布団のズレを防ぎ、器具をこたつと天板に取り付けることによって、収納スペースができることを特徴とするこたつ。
【請求項２】
各角両面から収納ボックスを取り出せるよう、天板にガイドを取り付けられることを特徴とするこたつ。
【発明の詳細な説明】
【技術分野】
【０００１】
本発明は、家電製品に使用されるこたつである。  
【背景技術】
【０００２】
従来のこたつは、様々な形、デザインを凝らした製品が生産使用されている。しかしながら、それらは単にこたつの土台に布団をかぶせその上に天板を置くという単純な作りである。
【０００３】
こたつの機能は温源に布団をかぶせ熱が逃げないようにし、体を温めることである。これでは布団がズレ隙間ができた時、そこから熱が逃げ、こたつ本来の機能が失われる。
【０００４】
布団がズレた際、天板をどかして敷き直しをしなくてはいけないので、手間がかかり時間が無駄になってしまう。
【０００５】
こたつには収納機能がないので天板の上にいつも物が置いてある状態になる。
【特許文献１】特開2007-192413
【発明の開示】
【発明が解決しようとする課題】
【０００６】
上述のように従来技術に係るこたつは、布団が固定されていないので、ズレが頻繁に起こってしまう。この為、こたつの中の熱が逃げるばかりでなく布団のズレを修正する手間がかかってしまう。
【０００７】
本発明は、このような点に鑑みて成されたものであり、その目的は天板とこたつの間に器具を取り付け、穴のあいた布団を敷くことによって、熱が逃げるのを防ぎ、布団のズレを直す手間がはぶけ、片付けが用意にできるようにすることである。
【課題を解決するための手段】
【０００８】
上述の目的を達成する本発明のこたつは、穴の空いた布団を、天板と土台の間に挟み、器具の効果でズレが生じることを失くすと同時に、収納スペースを設けることを特徴とする。
【発明の効果】
【０００９】
以上説明したように、本発明によれば、こたつの土台と天板の間に器具を取り付け、その間に布団を敷くようにしたので布団のズレを修正する手間をはぶき熱の放出を防げ、収納スペースにより天板上を片づけるのに用意になる。
【発明を実施するための最良の形態】
【００１０】
以下、本発明の実施形態を、図面に基づき詳細に説明する。
【００１１】
図１〜図３は、本発明の第一の実施の形態に係り、図１はその外観斜視図、図２は分解図、図３は器具取り付け部の断面図である。
【００１２】
図１、図２に示すように、こたつ１１は、こたつ土台３に器具２を取り付け、その上から穴を有する布団４を敷き、天板１をのせたものである。
【００１３】
このこたつ１１は、器具２により固定されるばかりでなく、長さを調節することにより収納スペースを設けることができる。
【００１４】
天板1の裏にガイドを設けることによって、各角両面から収納ボックス１０を出し入れすることができる。
【００１５】
図３は、器具２の取り付け断面図であり、こたつの枠組み上可能な部分に器具２を取り付け、ボルト７を用いて固定する。
【００１６】
天板１と器具２の間にぐらつきを防止する為に弾性部材7をはめこむ。
【実施例１】
【００１７】
こたつ１１は例えば、70ｃｍ×70ｃｍの寸法を有する、正方形の形状をしており、一般家庭で使用する際に、好適なサイズとして標準化する。このことにより設計、施工が容易になる。図1〜図３に示す器具２には、耐久性がある材料を用いるのが最適である。
【００１８】
布団４の貫通した穴５と器具２の直径寸法は同じ長さとする。
【００１９】
収納ボックス１０は、熱に強い材料を用いるのが最適である。
【産業上の利用可能性】
【００２０】
本発明は、暖房器を製造、販売する産業分野で利用することができる。
【図面の簡単な説明】
【００２１】
【図１】本発明の第一の実施の形態に係るこたつの外観斜視図である。
【図２】図1の分解図である。
【図３】器具取り付け部の断面図である。
【符号の説明】
【００２２】
１  天板
２  器具
３  こたつ土台
４  布団
５  貫通した穴
６  適度な深さの穴
９  ガイド
１０  収納ボックス
【図１】
2010203688.tif 000003
【図２】
2010203688.tif 000004
【図３】
2010203688.tif 000005
(57)【要約】      （修正有）【課題】自重の力により開閉弁を閉にする装置を提供する。【解決手段】ガス等の供給元近くにある開閉弁２の開閉板３にワイヤー４で連携された重り５を重り受け６上に配置し、外的横揺れ振動により重り５を重り受け６から落下させ、重り５の自重で開閉板３を回動させると共に、開閉弁２を閉鎖することを特徴とする自動安全装置。【選択図】図１
2010203603.tif 000002
【特許請求の範囲】
【請求項１】
振動による横揺れ、又上下運動の力で重りが受け台から外れ自重で開閉弁を閉にすることを特徴とする自動安全装置。
【発明の詳細な説明】
【技術分野】
【０００１】      本発明は振動又、上下運動により重りの力を他に伝える事に関するものである。
【背景技術】
【０００２】      従来のガス等使用時、地震又、緊急時の時は手動による開閉弁、閉の操作をしていた。
【発明の開示】
【発明が解決しようとする課題】
【０００３】      そのために、次のような問題点があった。
イ）  ガス等の使用時充分な注意が必要であった。
ロ）  ガス等の使用時、地震等では開閉弁の操作が出来ない事も会った。
本発明は、これらの問題点を解決するためになされたものである。
【課題を解決するための手段】
【０００４】      ガス等の供給元近くにある開閉弁を振動による横ぶれ、又上下運動の力で重りが受け台から外れ、重りの自重で開閉弁を閉にする自動安全装置である。
【発明の効果】
【０００５】イ）  ガス等使用時、地震等での操作が自動的に出来、又人の手により二重に行える。
ロ）  供給元近くの為、全体の操作が一度に可能になる。
ハ）  地震時の火災対策
【発明を実施するための最良の形態】
【０００６】      以下、本発明の実施の形態について説明をする。
イ）  重り（５）の１カ所にワイヤー（４）を付け開閉板（３）につなぐ、重り（５）は開閉板（３）を閉に出来る重さとする。
ロ）  重り受け（６）の先端に重りを設置する凹みを作る、横揺れ時重り（５）が外れる大きさにする。
ハ）  重り受け（６）の根本に上下の力に作用する、球（９）の凹みを付ける。
重り受け本体（７）から重り受け（６）が落ちないようにバネ（８）と、球（９）で重り受け（６）の凹み部を押す。
ニ）  建屋、支柱（１１）は地面と同時に横振れ、上下の動きになるように固定する。
本発明は以上のような構成で、この安全装置の作動は、横揺れには重り（５）が重り受け（６）から外れ、自重の力で落下ワイヤー（４）を介して開閉板（３）を閉の位置に持っていく、上下の力にはバネ（８）が重り（５）の重量と下の力に負け、重り受け（６）が球（９）を押し下げ重り受け本体の支点を中心にして下降、重り（５）が重り受け（６）から外れ横揺れと同様に、開閉板（３）を閉の位置に持っていく、復帰は重り受け（６）を戻し開閉板（３）と重り（５）を同時に戻す。
又図１に示すように、重り（５）の下部は球面形状が最良であるが、上部は形を問わないが対象形が良い、又重り（５）と重り受け（６）の接触面は円、又は３点以上で受ける、バネ（８）の強弱調整用の装置を球（９）の反対側のバネ（８）面に付けると良い、大型開閉弁ではこの装置の開閉板（３）又はワイヤー（４）にかかる力を利用、大型開閉弁閉装置に連動すると良い、開閉板（３）は既設配管に合わせ、閉の時開閉弁（２）を中心に上下対象にして下になるように形状を変える、この装置はガス、油、水、空気等に効果がある。
【図面の簡単な説明】
【０００７】
【図１】      本発明の正面図
【図２】      本発明の上面図
【図３】      本発明の作動後の正面図
【符号の説明】
【０００８】      １    ガス管等
２    開閉弁
３    開閉板
４    ワイヤー
５    重り
６    重り受け
７    重り受け本体
８    バネ
９    球
１０  支点
１１  建屋、支柱
【図１】
2010203603.tif 000003
【図２】
2010203603.tif 000004
【図３】
2010203603.tif 000005
(57)【要約】【課題】モノブロックシリンダを用いた内燃機関において、機械圧縮比を向上するとともに排気温度の低下を抑制できる内燃機関を提供することにある。【解決手段】シリンダブロックとシリンダヘッドとが一体的に形成されたモノブロックシリンダ１０を有する内燃機関であって、モノブロックシリンダ１０は、シリンダボア１１ａに隣接し、かつ、当該シリンダボア１１ａの内径Ｄ１より大きい内径の拡径部１２ａを有し、拡径部１２ａには、燃焼室５０の少なくとも一部を画定するように断熱材３０が設けられ、断熱材３０は、シリンダボア１１ａの内径Ｄ１より小さい内径Ｄ３の内周面３１を有する。【選択図】図１
2010203355.tif 000002
【特許請求の範囲】
【請求項１】
シリンダブロックとシリンダヘッドとが一体的に形成されたモノブロックシリンダを有する内燃機関であって、
前記モノブロックシリンダは、
シリンダボアに隣接し、かつ、当該シリンダボアの内径より大きい内径の拡径部を有し、
前記拡径部には、燃焼室の少なくとも一部を画定するように断熱材が設けられ、
前記断熱材は、前記シリンダボアの内径より小さい内径の内周面を有する、
ことを特徴とする内燃機関。
【発明の詳細な説明】
【技術分野】
【０００１】
本発明は、内燃機関に関し、特に、モノブロックシリンダを有する内燃機関にする。
【背景技術】
【０００２】
シリンダヘッドとシリンダブロックとが一体的に形成されたモノブロックシリンダを有する内燃機関は、例えば、特許文献１等に開示されている。このようなモノブロックシリンダにおいては、予混合圧縮自着火燃焼方式時の排気温度の低下を抑制するために、排気弁シートの近傍の内壁に断熱材を設けることが行われている。
【先行技術文献】
【特許文献】
【０００３】
【特許文献１】特開平５−１８７３０９号公報
【発明の概要】
【発明が解決しようとする課題】
【０００４】
ところで、モノブロックシリンダにおいては、ホーニング加工によりシリンダボアの加工が行われる。このため、モノブロックシリンダには、ホーニングの砥石との干渉を防ぐために、シリンダ壁の内径を拡大したホーニング加工用の逃げが予め形成されている。
【０００５】
しかしながら、モノブロックシリンダに上記のような逃げを形成すると、隙間容積が大きくなり、機械圧縮比を高めることができない。特に、超高膨張比サイクルのように、隙間容積を小さくして機械圧縮比を２０以上に高める内燃機関へのモノブロックシリンダの適用は困難であった。
【０００６】
本発明は、上記問題に鑑みてなされたものであって、その目的は、モノブロックシリンダを用いた内燃機関において、機械圧縮比を向上するとともに排気温度の低下を抑制できる内燃機関を提供することにある。
【課題を解決するための手段】
【０００７】
本発明に係る内燃機関は、シリンダブロックとシリンダヘッドとが一体的に形成されたモノブロックシリンダを有する内燃機関であって、前記モノブロックシリンダは、シリンダボアに隣接し、かつ、当該シリンダボアの内径より大きい内径の拡径部を有し、前記拡径部には、燃焼室の少なくとも一部を画定するように断熱材が設けられ、前記断熱材は、前記シリンダボアの内径より小さい内径の内周面を有する、ことを特徴とする。
【発明の効果】
【０００８】
本発明によれば、拡径部に断熱材を設けることにより、隙間容積が低減されて機械圧縮比が向上し、かつ、断熱性が改善した内燃機関が得られる。
【図面の簡単な説明】
【０００９】
【図１】本発明の一実施形態に係る内燃機関の構成を示す概略図である。
【図２】断熱材を設ける前のモノブロックシリンダの一例を示す構成図である。
【発明を実施するための形態】
【００１０】
以下、本発明の好適一実施形態を添付図面に基づいて詳述する。
【００１１】
図１は本発明の一実施形態に係る内燃機関の概略構成図である。
【００１２】
この内燃機関は、モノブロックシリンダ１０、ピストン２０及び断熱材３０を有する。なお、図１に示すピストン２０は、上死点に位置している。
【００１３】
モノブロックシリンダ１０は、図２に示すように、シリンダブロック部１１と、シリンダブロック部１１に一体的に形成されたシリンダヘッド部１２とを有する。
【００１４】
シリンダブロック部１１は、上記したピストン２０が嵌合する内径Ｄ１のシリンダボア１１aを有する。このシリンダボア１１ａは、ホーニング加工により形成される。
【００１５】
シリンダヘッド部１２は、シリンダブロック部１１と一体的に形成され、シリンダボア１１ａの内径Ｄ１よりも大きい内径Ｄ２を有する拡径部１２ａと、これに続く頂上部１２ｂとを有する。
【００１６】
拡径部１２ａは、シリンダボア１１ａをホーニング加工する際に、干渉を防ぐための逃げとして設けられている。
【００１７】
図１に戻って説明すると、シリンダヘッド部１２の拡径部１２ａ及び頂上部１２ｂには、断熱材３０が設けられている。
【００１８】
この断熱材３０は、燃焼室５０の一部を画定しており、例えば、酸化ケイ素を焼結させることにより形成することができる。
【００１９】
断熱材３０のうち、拡径部１２ａに設けられた部分は、頂上部１２ｂに設けられた部分よりも厚く形成され、シリンダボア１１ａの内径Ｄ１よりも小さい内径Ｄ３の内周面３１を備えている。すなわち、断熱材３０の一部は、シリンダボア１１ａの内周面よりも内側に突出している。また、断熱材３０は、上死点にあるピストン２０と干渉しないように形成されている。
【００２０】
断熱材３０を設けることにより、断熱効果が高まるとともに、燃焼室の容積が削減されて圧縮比を向上させることができる。
【００２１】
また、断熱材３０の拡径部１２ａに設けられた部分の厚さを他の部分よりも厚くすることにより、断熱効果がさらに高まり、燃焼室５０内での消炎距離を縮小させることができる。
【００２２】
上記構成の断熱材３０を設けることにより、例えば、超高膨張比サイクルのような機械圧縮比を２０以上に高める内燃機関として用いることが可能となる。
【００２３】
上記実施形態では、断熱材３０をシリンダヘッド部１２の内壁面に全面的に設けた場合について説明したが、拡径部１２ａにのみ設ける構成も採用できる。
【００２４】
また、断熱材３０が付着される面と非付着面との段差を無くすことにより、Ｓ／Ｖ比（サーフェス・ボリューム・レシオ）を小さくすることができ、冷損を減らして熱効率をさらに高めることが可能である。
【符号の説明】
【００２５】
１０…モノブロックシリンダ
１１…シリンダブロック部
１２…シリンダヘッド部
１２ａ…拡径部
１２ｂ…頂上部
２０…ピストン
３０…断熱材
３１…内周面
５０…燃焼室
【図１】
2010203355.tif 000003
【図２】
2010203355.tif 000004